(57)【要約】      （修正有）【課題】側部桁及び中間桁と、側部桁及び中間桁とを連結する下部端部桟と下部中央桟との連結部の強度を高め、ひいては、下部端部桟と下部中央桟の曲げ強度が向上し、一体成形２方差しパレットの強度や剛性を高める。【解決手段】略垂直な側部桁内壁ｐ１１と、該側部桁内壁ｐ１１より、フォーク挿入孔側に位置する略垂直な内壁下端部との間に、傾斜補強部ｐ３０を形成することにより、また、略垂直な中間桁壁ｐ２０と、該中間桁壁ｐ２０より、フォーク挿入孔側に位置する略垂直な下端部との間に、傾斜補強部ｐ３１を形成するようにした。【選択図】図４
2014125234.tif 000002
【特許請求の範囲】
【請求項１】
側部桁内壁と、該側部桁内壁より、フォーク挿入孔側に位置する内壁下端部との間に、傾斜補強部を形成するとともに、中間桁壁と、該中間桁壁より、フォーク挿入孔側に位置する下端部との間に、傾斜補強部を形成したことを特徴とする一体成形２方差しパレット。
【請求項２】
側部桁内に、フォーク挿入孔側補強片を形成するとともに、中間桁内に、中間桁補強片を形成したことを特徴とする請求項１に記載の一体成形２方差しパレット。
【発明の詳細な説明】
【技術分野】
【０００１】
本発明は、上部デッキボードと下部デッキボードとを有し、上部デッキボードと下部デッキボードとが、一対の側部桁と該一対の側部桁の中間に位置する中間桁とにより連結されており、また、下部デッキボードが、側部桁の両端部と中間桁の両端部を連結する下部端部桟と、側部桁の中央部と中間桁の中央部を連結する下部中央桟とにより形成されており、更に、下部デッキボードには、側部桁と中間桁と下部端部桟と下部中央桟とにより囲まれた４個の開口部が形成されており、更にまた、上部デッキボードと下部デッキボードと一対の側部桁と中間桁とに囲まれたフォーク挿入孔が形成されている一体成形２方差しパレットに関するものである。
【背景技術】
【０００２】
上述したような構成を有する一体成形２方差しパレットは、図５に示されているように、固定金型ｍ１と、可動金型ｍ２と、その先端面が当接する一対のスライドコアｍ３と、可動金型ｍ２に組み込まれた傾斜ブロックｍ４とからなる金型部材Ｍにより、一体成形されている。上述したような金型部材Ｍにより、上部デッキボードｐ１’、下部端部桟ｐ２’、下部中央桟ｐ３’及びフォーク挿入孔ｐ４’等からなる一体成形２方差しパレットＰ’が成形されることになる。
【０００３】
上述した金型部材Ｍにより成形された一体成形２方差しパレットＰ’には、図６に示されているように、側部桁Ｐ１’と中間桁Ｐ２’が成形されており、また、側部桁Ｐ１’と中間桁Ｐ２’と下部端部桟ｐ２’と下部中央桟ｐ３’とにより囲まれた開口部ｐ５’が成形されている。
【０００４】
上述したような一体成形２方差しパレットＰ’においては、下部端部桟ｐ２’と側部桁Ｐ１’のフォーク挿入孔ｐ４’側の側壁ｐ６’との間には、略直角な隅部が形成されており、また、下部中央桟ｐ３’と中間桁Ｐ２’のフォーク挿入孔ｐ４’側の側壁ｐ７’との間にも、略直角な隅部が形成されることになる。
【０００５】
上述したような、一体成形２方差しパレットは、一例として、特許文献１に開示されている。
【先行技術文献】
【特許文献】
【０００６】
【特許文献１】特開平８ー３４４３８号公報
【発明の概要】
【発明が解決しようとする課題】
【０００７】
上述したように、一体成形２方差しパレットＰ’において、下部端部桟ｐ２’と側部桁Ｐ１’のフォーク挿入孔ｐ４’側の側壁ｐ６’との間に、略直角な隅部が形成され、また、下部中央桟ｐ３’と中間桁Ｐ２’のフォーク挿入孔ｐ４’側の側壁ｐ７’との間に、略直角な隅部が形成されていると、このような略直角な隅部における強度が十分ではなく、従って、下部端部桟ｐ２’及び下部中央桟ｐ３’の曲げ強度が低下し、ひいては、一体成形２方差しパレットＰ’の強度や剛性が低下するという問題があった。
【０００８】
また、スライドコアｍ３の下端角部に、アールを形成することにより、下部端部桟ｐ２’と側部桁Ｐ１’のフォーク挿入孔ｐ４’側の側壁ｐ６’との間に、また、下部中央桟ｐ３’と中間桁Ｐ２’のフォーク挿入孔ｐ４’側の側壁ｐ７’との間に、肉厚部を形成し、下部端部桟ｐ２’及び下部中央桟ｐ３’の曲げ強度を向上することもできるが、このような肉厚部を形成すると、一体成形２方差しパレットＰ’の成形後の冷却過程における収縮により、下部端部桟ｐ２’や下部中央桟ｐ３’等が変形し、下部端部桟ｐ２’及び下部中央桟ｐ３’の曲げ強度が低下し、ひいては、一体成形２方差しパレットＰ’の強度や剛性が低下するという問題があった。
【０００９】
本発明の目的は、上述した従来の一体成形２方差しパレットが有する課題を解決することにある。
【課題を解決するための手段】
【００１０】
本発明は、上述した目的を達成するために、一体成形２方差しパレットにおいて、第１には、側部桁内壁と、該側部桁内壁より、フォーク挿入孔側に位置する内壁下端部との間に、傾斜補強部を形成するとともに、中間桁壁と、該中間桁壁より、フォーク挿入孔側に位置する下端部との間に、傾斜補強部を形成したものであり、第２には、側部桁内に、フォーク挿入孔側補強片を形成するとともに、中間桁内に、中間桁補強片を形成したものである。
【発明の効果】
【００１１】
一体成形２方差しパレットにおいて、側部桁内壁と、該側部桁内壁より、フォーク挿入孔側に位置する内壁下端部との間に、傾斜補強部を形成するとともに、中間桁壁と、該中間桁壁より、フォーク挿入孔側に位置する下端部との間に、傾斜補強部を形成したので、側部桁及び中間桁と、側部桁及び中間桁とを連結する下部端部桟と下部中央桟との連結部の強度を高めることができ、ひいては、下部端部桟と下部中央桟の曲げ強度が向上し、従って、一体成形２方差しパレットの強度や剛性を高めることができる。
【００１２】
側部桁内に、フォーク挿入孔側補強片を形成するとともに、中間桁内に、中間桁補強片を形成したので、側部桁及び中間桁の強度や剛性を高めることができる。
【図面の簡単な説明】
【００１３】
【図１】図１は、本発明の一体成形２方差しパレットの上部からの斜視図である。
【図２】図２は、本発明の一体成形２方差しパレットの下部からの斜視図である。
【図３】図３は、本発明の一体成形２方差しパレットの一部垂直断面を含む部分拡大斜視図である。
【図４】図４は、本発明の一体成形２方差しパレットの水平断面を含む拡大斜視図である。
【図５】図５は、従来の一体成形２方差しパレットを成型するための公知の金型部材のスライドコアに沿った垂直断面図である。
【図６】図６は、従来の一体成形２方差しパレットの一部垂直断面を含む部分拡大斜視図である。
【実施例】
【００１４】
以下に、本発明の実施例について説明するが、本発明の趣旨を越えない限り、何ら、本実施例に限定されるものではない。
【００１５】
先ず最初に、図１及び図２を用いて、一体成形２方差しパレットについて説明する。
【００１６】
公知のように、一体成形２方差しパレットＰは、上部デッキボードｐ１と、下部デッキボードｐ２と、上部デッキボードｐ１と下部デッキボードｐ２とを連結する一対の側部桁Ｐ１と、上部デッキボードｐ１と下部デッキボードｐ２とを連結する一本の中間桁Ｐ２とにより構成されている。荷物が載置される上部デッキボードｐ１は、格子状構造を有しており、また、下部デッキボードｐ２は、側部桁Ｐ１と中間桁Ｐ２の両端部を連結する下部端部桟ｐ２ａと、側部桁Ｐ１と中間桁Ｐ２の中央部を連結する下部中央桟ｐ２ｂとにより形成されている。更に、下部デッキボードｐ２には、側部桁Ｐ１と中間桁Ｐ２と下部端部桟ｐ２ａと下部中央桟ｐ２ｂとにより囲まれた４個の開口部ｐ３が形成されている。更にまた、一体成形２方差しパレットＰには、上部デッキボードｐ１と下部デッキボードｐ２と一対の側部桁Ｐ１と一本の中間桁Ｐ２とにより囲まれたフォーク挿入孔ｐ４が形成されている。
【００１７】
次に、図３及び図４を用いて、本発明の具体的な特徴について説明する。
【００１８】
側部桁Ｐ１は、フォーク挿入孔ｐ４に沿った、フォーク挿入孔ｐ４と反対側に位置する側部桁外壁ｐ１０と、フォーク挿入孔ｐ４に沿った、フォーク挿入孔ｐ４側に位置する側部桁内壁ｐ１１と、側部桁外壁ｐ１０と側部桁内壁ｐ１１との間に形成された、側部桁外壁ｐ１０と側部桁内壁ｐ１１と略平行な適当数の側部桁内中間壁ｐ１２（本実施例においては、２枚の側部桁内中間壁が形成されている。）とを有している。また、側部桁外壁ｐ１０、側部桁内壁ｐ１１及び側部桁内中間壁ｐ１２は、側部桁Ｐ１内に位置する、上部デッキボードｐ１を形成する公知の上部デッキボード桟ｐ１ａと、下部デッキボードｐ２を形成する公知の下部デッキボード桟ｐ２ｃとを連結するように構成されている。
【００１９】
中間桁Ｐ２は、フォーク挿入孔ｐ４に沿った、相対する中間桁壁ｐ２０と、相対する中間桁壁ｐ２０間に形成された、中間桁内中間壁ｐ２１（本実施例においては、２枚の中間桁内中間壁が形成されている。）とを有している。また、中間桁壁ｐ２０及び中間桁内中間壁ｐ２１は、中間桁Ｐ２内に位置する、上部デッキボードｐ１を形成する公知の上部デッキボード桟ｐ１ａと、下部デッキボードｐ２を形成する公知の下部デッキボード桟ｐ２ｃとを連結するように構成されている。
【００２０】
側部桁Ｐ１内には、側部桁内壁ｐ１１に連接されているとともに、上部デッキボード桟ｐ１ａと下部デッキボード桟ｐ２ｃに連結され、且つ、側部桁内壁ｐ１１に略垂直なフォーク挿入孔側補強片ｐ１３が形成されている。また、側部桁Ｐ１内には、側部桁外壁ｐ１０に連接されているとともに、上部デッキボード桟ｐ１ａと下部デッキボード桟ｐ２ｃに連結され、且つ、側部桁外壁ｐ１０に略垂直な側部桁外壁側補強片ｐ１４が形成されている。
【００２１】
上述したように、側部桁Ｐ１内に、フォーク挿入孔側補強片ｐ１３及び側部桁外壁側補強片ｐ１４を形成することにより、側部桁Ｐ１の強度や剛性を高めることができる。
【００２２】
同様に、中間桁Ｐ２内には、相対する中間桁壁ｐ２０に連接されているとともに、上部デッキボード桟ｐ１ａと下部デッキボード桟ｐ２ｃに連結され、且つ、中間桁壁ｐ２０に略垂直な中間桁補強片ｐ１５が形成されている。
【００２３】
上述したように、中間桁Ｐ２内に、中間桁補強片ｐ１５を形成することにより、中間桁Ｐ２の強度や剛性を高めることができる。
【００２４】
側部桁Ｐ１の側部桁内壁ｐ１１と下部端部桟ｐ２ａとにより形成される隅部、及び、側部桁Ｐ１の側部桁内壁ｐ１１と下部中央桟ｐ２ｂとにより形成される隅部には、側部桁内壁ｐ１１の下端部を、側部桁内壁ｐ１１に沿って、フォーク挿入孔ｐ４側に、直線状或いは湾曲状に変形させることにより、側部桁内壁ｐ１１の下端部には、側部桁内壁ｐ１１の傾斜補強部ｐ３０が形成されている。傾斜補強部ｐ３０は、略垂直な側部桁内壁ｐ１１と、該側部桁内壁ｐ１１より、フォーク挿入孔ｐ４側に位置する略垂直な内壁下端部ｐ１１ａとの間に形成されているとともに、側部桁内壁ｐ１１、内壁下端部ｐ１１ａ及び傾斜補強部ｐ３０の肉厚は、均一に形成されている。また、このような傾斜補強部ｐ３０は、フォーク挿入孔ｐ４側に位置する側部桁Ｐ１の側部桁内壁ｐ１１の全長に亘たって形成されている。このように、フォーク挿入孔側補強片ｐ１３を形成することにより、傾斜補強部ｐ３０と側部桁内壁ｐ１１の内壁下端部ｐ１１ａとを補強することができる。
【００２５】
同様に、中間桁Ｐ２の中間桁壁ｐ２０と下部端部桟ｐ２ａとにより形成される隅部、及び、中間桁Ｐ２の中間桁壁ｐ２０と下部中央桟ｐ２ｂとにより形成される隅部にも、中間桁壁ｐ２０の下端部を、中間桁壁ｐ２０に沿って、フォーク挿入孔ｐ４側に、直線状或いは湾曲状に変形させることにより、中間桁壁ｐ２０の下端部には、中間桁壁ｐ２０の傾斜補強部ｐ３１が形成されている。傾斜補強部ｐ３１は、略垂直な中間桁壁ｐ２０と、該中間桁壁ｐ２０より、フォーク挿入孔ｐ４側に位置する略垂直な中間桁壁２０の下端部ｐ２０ａとの間に形成されているとともに、中間桁壁ｐ２０、中間桁壁２０の下端部ｐ２０ａ及び傾斜補強部ｐ３１の肉厚は、均一に形成されている。また、このような傾斜補強部ｐ３１は、フォーク挿入孔ｐ４側に位置する中間桁Ｐ２の中間桁壁ｐ２０の全長に亘たって形成されている。このように、中間桁補強片ｐ１５を形成することにより、傾斜補強部ｐ３０と中間桁壁２０の下端部ｐ２０ａを補強することができる。
【００２６】
上述したように、略垂直な側部桁内壁ｐ１１と、該側部桁内壁ｐ１１より、フォーク挿入孔ｐ４側に位置する略垂直な内壁下端部ｐ１１ａとの間に、傾斜補強部ｐ３０を形成することにより、また、略垂直な中間桁壁ｐ２０と、該中間桁壁ｐ２０より、フォーク挿入孔ｐ４側に位置する略垂直な下端部ｐ２０ａとの間に、傾斜補強部ｐ３１を形成することにより、側部桁Ｐ１及び中間桁Ｐ２と、側部桁Ｐ１及び中間桁Ｐ２とを連結する下部端部桟ｐ２ａと下部中央桟ｐ２ｂとの連結部の強度を高めることができ、ひいては、下部端部桟ｐ２ａと下部中央桟ｐ２ｂの曲げ強度が向上し、従って、一体成形２方差しパレットＰの強度や剛性を高めることができる。
【符号の説明】
【００２７】
Ｐ・・・・・・・・・・・一体成形２方差しパレット
Ｐ１・・・・・・・・・・側部桁
Ｐ２・・・・・・・・・・中間桁
ｐ１・・・・・・・・・・上部デッキボード
ｐ２・・・・・・・・・・下部デッキボード
ｐ２ａ・・・・・・・・・下部端部桟
ｐ２ｂ・・・・・・・・・下部中間桟
ｐ３・・・・・・・・・・開口部
ｐ４・・・・・・・・・・フォーク挿入孔
ｐ１３・・・・・・・・・フォーク挿入孔側補強片
ｐ１４・・・・・・・・・側部桁外壁側補強片
ｐ１５・・・・・・・・・中間桁補強片
ｐ３０、ｐ３１・・・・・傾斜補強部
【図１】
2014125234.tif 000003
【図２】
2014125234.tif 000004
【図３】
2014125234.tif 000005
【図４】
2014125234.tif 000006
【図５】
2014125234.tif 000007
【図６】
2014125234.tif 000008